(57)【要約】【課題】柱とアンカーボルトの接合強度を増して引抜力を高めると共に、柱の側面を有効活用する。【解決手段】基板１の表面１ａの中央部及び下側３に、断面逆Ｕ字状の第一連結部（高さＬ１）１０、第二連結部（高さＬ２）１３を夫々固着する。第一連結部１０に第一挿通孔１１、第二連結部１２に、第二挿通孔１４及び第三挿通孔１５を形成して、連結金物１７とする。コンクリート製の基礎２０に土台２２を連結し、アンカーボルト２５Ａ、２５Ｂ（間隔Ｌ０≒Ｌ２−Ｌ１）の上端部２６Ａ、２６Ｂを上面２３から突出させる。土台２２に柱３６を立設すると共に、柱３６の側面３７に連結金物１７を固定して、アンカーボルト２５Ａを第一連結部１０に、アンカーボルト２５Ｂを第二連結部１３に係止固定して、連結構造４０とする。【選択図】図２
2008150878.tif 000002
【特許請求の範囲】
【請求項１】
基礎上に、土台を介してあるいは直接に、柱を立設した構造であって、以下の要件を具備して構成したことを特徴とする基礎と柱の連結構造。
(1) 前記柱の側面に、上方から順に第一連結金物、第二連結金物を縦列固定すると共に、前記第一連結金物は第一挿通孔を有する第一連結部を有し、前記第二連結金物は第二挿通孔及び第三挿通孔を有する第二連結部を有する。かつ前記第一挿通孔と前記第二挿通孔とは柱の軸と平行な軸と同軸に配置した。
(2) 前記基礎に埋設されたアンカーボルトで、前記柱の側面に近い側を第一アンカーボルト、遠い側を第二アンカーボルトとし、前記第二挿通部を通過した前記第一アンカーボルトの上端部を直接に、あるいは接続金物を介して、前記第一連結金物の第一連結部に連結する。
(3) 前記第二アンカーボルトの上端部を、前記第二連結金物の第二連結部に連結する。
【請求項２】
基礎上に土台を介してあるいは直接に、柱を立設した構造であって、以下の要件を具備して構成したことを特徴とする基礎と柱の連結構造。
(1) 前記柱の側面に、連結金物を固定し、該連結金物は、上方から順に第一連結部、第二連結部を備え、前記第一連結部には第一挿通孔を有し、前記第二連結部には前記第一挿通孔と同軸の第二挿通孔及び第三挿通孔を有する。かつ前記第二挿通孔と第三挿通孔は柱の側面と略平行に配置し、かつ前記第二挿通孔を前記柱からから近い側、第三挿通孔を前記柱から遠い側に夫々位置させる。
(2) 前記基礎に埋設されたアンカーボルトで、前記柱の側面に近い側を第一アンカーボルト、遠い側を第二アンカーボルトとし、前記第二挿通部を通過した前記第一アンカーボルトの上端部を直接に、あるいは接続金物を介して、前記第一連結部に連結する。
(3) 前記第二アンカーボルトの上端部を、前記連結金物の第二連結部に連結する。
【請求項３】
以下のような条件を満たすことを特徴とする連結金物。
(1) 柱の側面に固定できる基板の上部に、第一連結部を形成し、下部に第二連結部を形成する。
(2) 前記第一連結部は、基礎に埋設したアンカーボルトの上端部を挿通可能な第一挿通孔を有し、第二連結部は、前記アンカーボルトを挿通できる第二挿通孔と、他のアンカーボルトを挿通できる第三挿通孔とを有する。かつ前記第一挿通孔と前記第二挿通孔とを同軸に形成する。
(3) 前記第一連結部は、前記アンカーボルト又は前記アンカーボルトの上縁に連結する接続棒材を係止固定できる第一係止縁を有し、第二連結部は、他のアンカーボルトの上端を係止固定できる第二係止縁を有する。
【発明の詳細な説明】
【技術分野】
【０００１】
この発明は、木造構造物において、コンクリート製の基礎と柱とを強固に連結し、取り分け柱の引抜力を高めることを目的とした基礎と柱の連結構造、およびこの連結構造に使用する連結金物に関する。
【背景技術】
【０００２】
従来、木造構造物では、基礎の上面に土台を固定し、土台に柱を立てていた。この場合、基礎と土台と柱を一体に構成するために、例えば、基礎と土台を連結するために、基礎に埋設したアンカーボルトの上端部を土台の縦孔に挿通して、アンカーボルトの上端部に各種ナットを螺合して土台の上面に固定していた。また、基礎と柱とを連結するために、柱の側面に引き寄せ金物（ホールダウン金物）を固定し、土台の縦孔を貫通したアンカーボルトの上端部にナットを螺合して引き寄せ金物に係止固定していた。
【０００３】
この場合、「土台と基礎」「基礎と柱」は接合されるが、３部材が接合されないことを解決し、また土台用、基礎用の別々のアンカーボルトが必要となりアンカーボルトの本数が増えることを解決するため、アンカーボルトの上端部につば付きナット（座付きつなぎナット）で土台に固定し、つば付きナットに、引き寄せ金物に頭部を係止固定するボルトの先端部を螺合緊結する構造が提案されていた（特許文献２、３）。また、筋かい固定用の金物を土台に固定するために、筋かい固定金物の上面でアンカーボルトの上端部を長ナットで固定し、長ナットに引き寄せ金物に係止固定したボルトの下端部を螺合緊結する構造も提案されている（特許文献１）。
【０００４】
また、アンカーボルトの軸と引き寄せ金物の取り付け軸とが一致していることが望ましいが、これがずれた場合を考慮して、アンカーボルトの上端部と引き寄せ金物に頭部を係止固定したボルトの下端部を、偏芯した螺穴を有する連結調整ナット（偏心調整金物）を介して連結する構造が提案されている（特許文献４、５）。
【特許文献１】特開平１０−１８４２５
【特許文献２】特開２００１−２４１１１５
【特許文献３】特開２００２−１６７８６７
【特許文献４】特開２００２−３０２９９９
【特許文献５】特開２００３−１２９５６７
【発明の開示】
【発明が解決しようとする課題】
【０００５】
前記従来の技術では、基礎と土台と柱の緊結は強化されるが、柱の引抜力自体を高めることはできなかった。柱自体の材料強度を限度として、一つの柱で負担すべき引抜力を高めるためには、アンカーボルトや引き寄せ金物の材料強度を高め、あるいは柱に連結されるアンカーボルトと引き寄せ金物の数を増やさなければならかった。この場合、土台２２、２２の隅部では、柱３６の隣接する２側面に（図４（ｂ））、土台２２の中間部では柱３６の対向する２側面に（図４（ａ））、夫々引き寄せ金物４２を固定して、対応するアンカーボルト２５を埋設する構造、あるいは柱３６の１側面に２つの引き寄せ金物４２、４２を並べる構造も考えられた（図４（ｃ））。
【０００６】
しかし、これらの方法では、柱３６の同一高さに、引き寄せ金物４２が固定されるため柱３６と引き寄せ金物４２とを固定するためのボルトやスクリューボルトの本数が集中して、柱３６の断面欠損が大きくなり、曲げなどに対する柱３６の強度が軽減される問題点があった。また、第三の構造では、基礎の巾方向にアンカーボルト２５、２５が並列するため、アンカーボルト２５、２５のコンクリートかぶり厚を確保し難い問題点もあった。
【課題を解決するための手段】
【０００７】
然るに、この発明は、柱の側面に、第一挿通孔を有する第一連結部と第二第三挿通孔を有する第二連結部を軸を一致させて上下に縦列した連結金物を使用し、あるいは、第一挿通孔を有する第一連結部を固定した連結金物と、第二第三挿通孔を有する第二連結部を固定した連結金物とを軸を一致させて縦列したので、前記問題点を解決した。
【０００８】
即ちこの発明は、基礎上に、土台を介してあるいは直接に、柱を立設した構造であって、以下の要件を具備して構成したことを特徴とする基礎と柱の連結構造である。  
(1) 前記柱の側面に、上方から順に第一連結金物、第二連結金物を縦列固定すると共に、前記第一連結金物は第一挿通孔を有する第一連結部を有し、前記第二連結金物は第二挿通孔及び第三挿通孔を有する第二連結部を有する。かつ前記第一挿通孔と前記第二挿通孔とは柱の軸と平行な軸と同軸に配置した。  
(2) 前記基礎に埋設されたアンカーボルトで、前記柱の側面に近い側を第一アンカーボルト、遠い側を第二アンカーボルトとし、前記第二挿通部を通過した前記第一アンカーボルトの上端部を直接に、あるいは接続金物を介して、前記第一連結金物の第一連結部に連結する。  
(3) 前記第二アンカーボルトの上端部を、前記第二連結金物の第二連結部に連結する。
【０００９】
また、他の発明は、基礎上に土台を介してあるいは直接に、柱を立設した構造であって、以下の要件を具備して構成したことを特徴とする基礎と柱の連結構造である。  
(1) 前記柱の側面に、連結金物を固定し、該連結金物は、上方から順に第一連結部、第二連結部を備え、前記第一連結部には第一挿通孔を有し、前記第二連結部には前記第一挿通孔と同軸の第二挿通孔及び第三挿通孔を有する。かつ前記第二挿通孔と第三挿通孔は柱の側面と略平行に配置し、かつ前記第二挿通孔を前記柱からから近い側、第三挿通孔を前記柱から遠い側に夫々位置させる。  
(2) 前記基礎に埋設されたアンカーボルトで、前記柱の側面に近い側を第一アンカーボルト、遠い側を第二アンカーボルトとし、前記第二挿通部を通過した前記第一アンカーボルトの上端部を直接に、あるいは接続金物を介して、前記第一連結部に連結する。  
(3) 前記第二アンカーボルトの上端部を、前記連結金物の第二連結部に連結する。
【００１０】
さらに、他の発明は、以下のような条件を満たすことを特徴とする連結金物である。  
(1) 柱の側面に固定できる基板の上部に、第一連結部を形成し、下部に第二連結部を形成する。  
(2) 前記第一連結部は、基礎に埋設したアンカーボルトの上端部を挿通可能な第一挿通孔を有し、第二連結部は、前記アンカーボルトを挿通できる第二挿通孔と、他のアンカーボルトを挿通できる第三挿通孔とを有する。かつ前記第一挿通孔と前記第二挿通孔とを同軸に形成する。  
(3) 前記第一連結部は、前記アンカーボルト又は前記アンカーボルトの上縁に連結する接続棒材を係止固定できる第一係止縁を有し、第二連結部は、他のアンカーボルトの上端を係止固定できる第二係止縁を有する。
【００１１】
前記における「連結」とは荷重を受けるように接続することを指し、螺合、係止等その構造は任意である。
【発明の効果】
【００１２】
この発明は、柱の側面に、第一挿通孔を有する第一連結部と第二第三挿通孔を有する第二連結部とを、軸を一致させて上下に縦列した連結金物を使用し、あるいは、第一挿通孔を有する第一連結部を固定した連結金物と、第二第三挿通孔を有する第二連結部を固定した連結金物とを軸を一致させて縦列したので、１つの柱の一つの側面に対して、２つのアンカーボルトを連結することができ、コンクリート製の基礎と柱の連結を高め、柱の引抜力を強化できる効果がある。また、連結金物、アンカーボルトなどが同軸で縦に一列に並ぶので、柱側面に余裕ができ、和室の真壁構造などに有効に対応できる。
【００１３】
また、１つの柱の側面に対して、連結金物の連結部の数を増やし、あるいは、連結部を有する連結金物の数を縦に増やすことにより、使用するアンカーボルトの数を調節して、引抜力の調節が容易にできる効果がある。
【発明を実施するための最良の形態】
【００１４】
（１）  鋼板製の基板１の表面１ａの中央部及び下側３に、基端部１０ａ、１３ａを表面１ａに当接して、断面逆Ｕ字状の第一連結部１０、第二連結部１３を夫々固着する。連結部１０、１３の高さ（Ｕ字状の凸の先端１０ｂ、１３ｂまでの距離）Ｌ１、Ｌ２を、
Ｌ１＜Ｌ２
とする（図１（ｂ））。また、第一連結部１０のＵ字状曲面部分の内側に第一挿通孔１１を形成し、第二連結部１３の基端部１２ａ、１２ａ側の空間に、第一挿通孔１１と同軸の第二挿通孔１４を形成し、第二連結部１２の先端１３ｂ側に第三挿通孔１５を形成する（図１（ｃ）（ｄ）（ｅ））。また、第一連結部１０の第一挿通孔１１の上端１１ａ（一側２の縁）を係止縁とし、第二連結部１３の第二挿通孔１４、第三挿通孔１５の上端１４ａ、１５ａ（一側２の縁）を夫々係止縁とする。基板１で、第一連結部１０と第二連結部１３の間、基板１の一側２側に、ビス類を挿通する透孔８、８を多数穿設して、連結金物１７を構成する（図１）。
【００１５】
（２）  コンクリート製の基礎２０に、アンカーボルト２５Ａ、２５Ｂの下端部が埋設され、アンカーボルト２５Ａ、２５Ｂは基礎２０の長さ方向に、緩衝しないにように、間隔（距離）Ｌ０（Ｌ０≒Ｌ２−Ｌ１）を空けてあり、上端部２６Ａ、２６Ｂが、基礎２０の上面２１から突出している（図１（ｂ）（ｃ）。  
基礎２０の上面２１に、縦孔２４、２４にアンカーボルト２５Ａ、２５Ｂを挿通しながら、土台２２を連結する。土台２２の上面２３に、柱３６を立設すると共に、上面２３に突出しているアンカーボルト２５Ａの上端部２６Ａを第二挿通孔１４、第一連結部１０の第一挿通孔１１に挿通し、アンカーボルト２５Ｂの上端部２６Ｂを、第三挿通孔１５に挿通しながら、各連結部１０、１３にアンカーボルト２５Ａ、２５Ｂを係止固定して、柱３６の側面３７に連結金物１７を固定する。以上のようにして、連結構造４０を構成する（図２）。
【００１６】
（３）  連結金物１７は、第一連結部１０を含む上側の連結金物１７Ａと、第二連結部１３を含む下側の連結金物１７Ｂとに分割して、連結構造４０を構成することもできる（図３）。
【実施例１】
【００１７】
図１、図２に基づきこの発明の実施例を説明する。
【００１８】
１．連結金物１７の構成
【００１９】
（１）  所定厚さの鋼板から、柱３６の側面３７に当設して、柱３６の側面３７に固定される基板１とする。基板１は、柱３６の軸方向に沿って長い長方形状に形成される。基板１は、柱３６に当設する側の面を裏面１ｂ、他側を表面１ａとし、使用時に上に位置する側を一側２とし、使用時に下に位置する側を他側３とする。
【００２０】
基板１の中央部４に、長さ方向に沿った軸上に、表面１ａ側に凸となるように、補強リブ５を形成する。同様に、基板１の他側３に、長さ方向に沿った軸上に、表面１ａ側に凸となるように、補強リブ６を形成する。補強リブ５、６は、基板１の裏面１ｂ側に凹部５ｂ、６ｂが形成され、軸方向に長い長方形状で両端５ａ、５ａ、６ａ、６ａが円弧状に形成されている。
【００２１】
基板１の補強リブ５、補強リブ６の間、基板１の一側２側に、柱３６と固定する為のビス類を挿通する透孔８、８を多数穿設する。
【００２２】
（２）  基板１の表面１ａ側で、補強リブ５を跨ぐように、断面逆Ｕ字状の第一連結部１０、補強リブ６を跨ぐように、断面逆Ｕ字状の第二連結部１３を夫々固着する。連結部１０、１３の基端部１０ａ、１３ａは、軸方向で補強リブ５、６の中央部両側に夫々位置し、表面１ａに当設固着されている。即ち、基板１の表面１ａに対して、Ｕ字状の凸となっており、基板１の表面１ａから第二連結部１３の先端１３ｂまでの距離Ｌ２は、基板１の表面１ａから第一連結部１０の先端１０ｂまでの距離Ｌ１より、長く形成されている（図１（ｂ））。
【００２３】
また、第一連結部１０のＵ字状曲面部分の内側が第一挿通孔１１を形成している。第二連結部１２の基端部１２ａ、１２ａ側の空間に、第一挿通孔１１と基板１の長さ方向（柱の軸方向）で同軸となるような第二挿通孔１４が形成され、第二挿通孔１４より先端１３ｂ側（即ち、Ｕ字状曲面部分の第二連結部１３のＵ字状曲面部分の内側）に第三挿通孔１５が形成されている。第二挿通孔１４及び第三挿通孔１５は、Ｕ字状の第一連結部１３の内側の同じ空間に位置している（図１（ｃ）（ｄ）（ｅ））。
【００２４】
また、補強リブ５、６が、夫々連結部１０、１３の第一挿通孔１１、第二挿通孔１４を夫々貫通して、補強リブ５、６の中間部は連結部１０、１３内に位置し、補強リブ５、６の両側５ａ、６ａが連結部１０、１３の外側に位置している。
【００２５】
また、第一連結部１０の第一挿通孔１１の上端１１ａ（一側２の縁）が係止縁を構成し、第二連結部１３の第二挿通孔１４、第三挿通孔１５の上端１４ａ、１５ａ（一側２の縁）が夫々係止縁を構成する。
【００２６】
以上のようにして、連結金物１７を構成する（図１）。
【００２７】
２．基礎２０と柱３６の連結構造４０
【００２８】
（１）  通常の方法により、コンクリート製の基礎２０を構築し、この際、通常の方法により基礎２０に、アンカーボルト２５Ａ、２５Ｂが埋設され、アンカーボルト２５Ａ、２５Ｂの上端部２６Ａ、２６Ｂが、基礎２０の上面２１から突出している。アンカーボルト２５Ａ、２５Ｂは土台２２の長さ方向に並列され、その距離Ｌ０は、コンクリート製の基礎２０内で必要なかぶり厚を確保するなど緩衝しないような距離で形成されている。また、
Ｌ０≒Ｌ２−Ｌ１
で形成されている（図１（ｂ）（ｃ））。
【００２９】
基礎２０の上面２１に土台２２を載せる。土台２２には、予めアンカーボルト挿通用の縦孔２４、２４が穿設され、アンカーボルト２５Ａ、２５Ｂの上端部２６Ａ、２６Ｂは縦孔２４を貫通して、土台２２の上面２３から上方に突出している。アンカーボルト２５Ａ、２５Ｂの上端部２６Ａ、２６Ｂは、連結金物１７の第一連結部１０、第二連結部１３の高さに応じて突出量を予め定めてあり、アンカーボルト２５Ａの上端部２６Ａが上端部２６Ｂより高く位置している。また、必要ならば、土台２２は他のアンカーボルトで基礎２０に固定する（図示していない）。
【００３０】
柱３６の側面３７に、アンカーボルト２５Ａ、２５Ｂの固定位置に合わせて、連結金物１７をスクリューボルト３８、３８で固定する。柱３６の柱脚側（下端）３６ａに連結金物１７の基板１の他側３が位置するように配置され、柱３６の軸３７ｂと連結金物１７の軸１８とを一致させてある（図１（ｂ）、図２）。
【００３１】
柱３６を通常の方法により土台２２の上面２３に立て、アンカーボルト２５Ａの上端部２６Ａを連結金物１７の第二連結部１３の第二挿通孔１４に挿通して、第一連結部１０の連の第一挿通孔１１を挿通する。また、アンカーボルト２５Ｂの上端部２６Ｂを、連結金物１７の第二連結部１３の第三挿通孔１５に挿通する。
【００３２】
（２）  続いて、アンカーボルト２５Ｂの上端部２６Ｂにワッシャー３５ａを通してナット３５を螺合して、ワッシャー３５ａを第二連結部１３の第三挿通孔１５の上端１５ａ（第二連結部１３の上縁）に係止固定する。同様に、アンカーボルト２５Ａの上端部２６Ａにワッシャー３４ａを通してナット３４を螺合して、ワッシャー３４ａを第一連結部１０の第一挿通孔１１の上端１１ａ（第一連結部１０の上縁）に係止固定する。
【００３３】
尚、ここで、アンカーボルト２５Ａ、２５Ｂの上端部２６Ａ、２６Ｂを直接に、第一連結部１０、第二連結部１３に連結したが、アンカーボルト２５Ａ、２５Ｂの上端部２６Ａ、２６Ｂに長ナットを介して螺杆（両端部にねじを形成した鋼棒やボルト）を連結して、螺杆の上端にナットを螺合して第一連結部１０、第二連結部１３に連結することもできる（図示していない）。
【００３４】
（３）  続いて、通常の方法により、筋かい、壁、床を構築する（図示していない）。この際、連結金物１７は従来と同様の巾で形成できるので、従来の接合用金物を使用した施工方法と同様の方法を採用できる。とりわけ、和室などの真壁造りの仕上げをする場合に好都合の柱を構成できる。
【００３５】
３．他の実施例
【００３６】
前記実施例において、補強リブ５、６と連結部１０、１３は２つ形成したが、３つ以上形成することもできる（図示していない）。この場合、基板１の他側３を延長して、第二連結部１３の他側３側（下方）に、先端までの距離Ｌ３（Ｌ３＞Ｌ２、Ｌ３≒Ｌ２＋Ｌ０）の第三連結部を固定する（図示していない）。
【００３７】
また、前記実施例において、補強リブ５、６を形成すれば、第一連結部１０、第二連結部１３の取り付け部分の基板１を補強できるので、結果として連結金物１７全体の強度を高められるので好ましいが、補強リブ５、６は省略できる（図示していない）。
【００３８】
また、前記実施例において、連結金物１７を、軸１８を一致させて、複数個を柱３６の側面３７に縦列して固定することもできる（図示していない）。また、連結金物１７の上方に、従来の引き寄せ金物を、軸１８を一致させて配置し、柱３６の側面３７に縦列して固定することもできる（図示していない）。
【００３９】
また、前記実施例において、予め柱３６に連結金物１７を取り付けたが、土台２２に柱３６を立設した後に、連結金物１７を柱３６に固定して連結構造４０を構成することもできる。即ち、連結金物１７の各連結部１０、１３の各挿通孔１１、１４、１５にアンカーボルト２５Ａ、２５Ｂを挿通しながら、連結金物１７を柱３６の側面３７に当てる。その後、透孔８、８にスクリューボルト３８、３８を打ち込み、連結金物１７を柱３６に固定する。また、この場合、アンカーボルト２５Ａの長さを短めに形成して、第二連結部１３の第二挿通孔１４を通過した上方で、長ナットなどを介して螺杆を繋ぎ、螺件を第一連結部１０に係止固定することが望ましい（図示していない）。
【実施例２】
【００４０】
図３に基づきこの発明の実施例を説明する。
【００４１】
１．連結金物１７Ａ、１７Ｂ
【００４２】
この実施例に使用する連結金物は、実施例１の連結金物１７において、第一連結部１０を有する連結金物１７Ａと、第二連結部１３を有する連結金物１７Bとに分割したもので、両連結金物１７Ａ、１７Bを縦列して使用した構造である。
【００４３】
即ち、所定厚さの鋼板から、柱３６の側面３７に当設して、柱３６の側面３７に固定される基板１とし、基板１の他側（下側）３に、補強リブ５を形成する。基板１の一側２側（上側）に、柱３６と固定する為のビス類を挿通する透孔８、８を多数穿設する。基板１の表面１ａ側で、補強リブ５を跨ぐように、断面逆Ｕ字状の第一連結部１０を当設固着して、連結金物１７Ａを構成する（図３）。
【００４４】
また、所定厚さの鋼板から、柱３６の側面３７に当設して、柱３６の側面３７に固定される基板１とし、基板１の他側（下側）３に、補強リブ６を形成する。基板１の一側（上側）２に、柱３６と固定する為のビス類を挿通する透孔８、８を多数穿設する。基板１の表面１ａ側で、補強リブ６を跨ぐように、断面逆Ｕ字状の第二連結部１３を当設固着して、連結金物１５Ａ、１５Ｂを構成する（図３）。
【００４５】
第一連結部１０、第二連結部１３の構成は前記実施例１と同様である。即ち、基板１の表面１ａに対して、Ｕ字状の凸となっており、基板１の表面１ａから第二連結部１３の先端１３ｂまでの距離Ｌ２は、基板１の表面１ａから第一連結部１０の先端１０ｂまでの距離Ｌ１より、長く形成されている。
【００４６】
また、第一連結部１０のＵ字状曲面部分の内側が第一挿通孔１１を形成している。第二連結部１２の基端部１２ａ、１２ａ側の空間に、第一挿通孔１１と基板１の長さ方向（柱の軸方向）で同軸となるような第二挿通孔１４が形成され、第二挿通孔１４より先端１３ｂ側（即ち、Ｕ字状曲面部分の第二連結部１３のＵ字状曲面部分の内側）に第三挿通孔１５が形成されている。第二挿通孔１４及び第三挿通孔１５は、Ｕ字状の第二連結部１３の内側の同じ空間に位置している。
【００４７】
２．基礎２０と柱３６の連結構造４０
【００４８】
この実施例の連結構造４０は、実施例１では１つの連結金物１７を使って形成されたが、この実施例では、２つに分割された連結金物１７A、１７Bを縦列した相違だけであり、他は同様である。
【００４９】
（１）  通常の方法により、コンクリート製の基礎２０にアンカーボルト２５Ａ、２５Ｂを埋設して、アンカーボルト２５Ａ、２５Ｂの上端部２６Ａ、２６Ｂを基礎２０の上面２１から突出させる。アンカーボルト２５Ａ、２５Ｂは土台２２の長さ方向に並列され、その距離Ｌ０は、コンクリート製の基礎２０内で必要なかぶり厚を確保するなど緩衝しないような距離で形成されている。また、
Ｌ０≒Ｌ２−Ｌ１
で形成されている。
【００５０】
基礎２０の上面２１に土台２２を載せ、土台２２の縦孔２４、２４を通して、アンカーボルト２５Ａ、２５Ｂの上端部２６Ａ、２６Ｂを、上面２３から上方に突出させる。アンカーボルト２５Ａの上端部２６Ａを、連結金物１７Ａの第一連結部１０の高さに位置させ、アンカーボルト２５Ｂの上端部２６Ｂは、連結金物１７Ｂの第二連結部１３の高さに位置させる。また、土台２２は必要ならば、他のアンカーボルトで基礎２０に固定する（図示していない）。
【００５１】
柱３６の側面３７に、アンカーボルト２５Ａ、２５Ｂの固定位置に合わせて、連結金物１７Ａ、１７Ｂをスクリューボルト３８、３８で固定し、柱３６の柱脚側（下端）３６ａに連結金物１７Ａ、１７Ｂの基板１の他側３が夫々位置し、柱３６の軸３７ｂと連結金物１７Ａ、１７Ｂの軸１８とを一致させてある（図３）。
【００５２】
柱３６を通常の方法により土台２２の上面２３に立て、アンカーボルト２５Ａの上端部２６Ａを連結金物１７Ｂの第二連結部１３の第二挿通孔１４に挿通して、連結金物１７Ａの第一連結部１０の第一挿通孔１１を挿通する。また、アンカーボルト２５Ｂの上端部２６Ｂを連結金物１７Ｂの第二連結部１３の第三挿通孔１５に挿通する。
【００５３】
（２）  続いて、アンカーボルト２５Ｂの上端部２６Ｂにワッシャー３５ａを通してナット３５を螺合して、ワッシャー３５ａを、連結金物１７Ｂの第二連結部１３の第三挿通孔１５の上端１５ａ（第二連結部１３の上縁）に係止固定する。同様に、アンカーボルト２５Ａの上端部２６Ａにワッシャー３４ａを通してナット３４を螺合して、ワッシャー３４ａを、連結金物１７Ａの第一連結部１０の第一挿通孔１１の上端１１ａ（第一連結部１０の上縁）に係止固定する。
【００５４】
また、前記実施例１と同様に、アンカーボルト２５Ａ、２５Ｂの上端部２６Ａ、２６Ｂを直接に、第一連結部１０、第二連結部１３に連結したが、アンカーボルト２５Ａ、２５Ｂの上端部２６Ａ、２６Ｂに、長ナットなどを介して螺杆（両端部にねじを形成した鋼棒、ボルト）を連結して、螺杆の上端にナットを螺合して第一連結部１０、第二連結部１３に連結することもできる（図示していない）。
【００５５】
（３）  続いて、通常の方法により、筋かい、壁、床を構築する（図示していない）。この際、連結金物１７は従来と同様の巾で形成できるので、従来の接合用金物を使用した施工方法と同様の方法を採用できる。とりわけ、和室などの真壁造りの仕上げをする場合に好都合の柱を構成できる。
【００５６】
３．他の実施例
【００５７】
前記実施例において、連結金物１５Ａ、１５Ｂを２つ使用して、２本のアンカーボルト２５Ａ、２５Ｂに対応したが、連結金物、アンカーボルトを３つ以上使用することもできる（図示していない）。この場合、増加する連結金物１７Ｃは、連結金物１の下方に配置して使用し、基板１の表面１ａから先端までの距離Ｌ３（Ｌ３＞Ｌ２、Ｌ３≒Ｌ２＋Ｌ０）の第三連結部を固定して構成する。アンカーボルト２５Ｃは、同様に第三連結部に対応して埋設する（図示していない）。
【００５８】
また、前記実施例において、増加する連結金物として、実施例１の連結金物１７を使用することもできる（図示していない）。また、前記実施例において、連結金物１７Ａは同様の構成の第一挿通孔１１を含む第一連結部１０を有し、連結金物１７Ｂは同様の構成の第二第三挿通孔１４、１５を含む第二連結部１３を有する構成であれば、従来の引き寄せ金物（ホールダウン金物）を使用することもできる（図示していない）。
【００５９】
また、前記実施例において、予め柱３６に連結金物１７Ａ、１７Ｂを取り付けたが、実施例１と同様に、土台２２に柱３６を立設した後に、連結金物１７Ａ、１７Ｂを柱３６に固定して連結構造４０を構成することもできる。即ち、連結金物１７Ａ、１７Ｂの各連結部１０、１３の各挿通孔１１、１４、１５にアンカーボルト２５Ａ、２５Ｂを挿通しながら、連結金物１７Ａ、１７Ｂを柱３６の側面３７に当てる。その後、透孔８、８にスクリューボルト３８、３８を打ち込み、連結金物１７Ａ、１７Ｂを柱３６に固定する。また、この場合、アンカーボルト２５Ａの長さを短めに形成して、連結金物１７Ｂの第二連結部１３の第二挿通孔１４を通過した上方で、長ナットなどを介して螺杆を繋ぎ、螺件を連結金物１７Ａの第一連結部１０に係止固定することが望ましい（図示していない）。
【図面の簡単な説明】
【００６０】
【図１】この発明の実施例の連結金物で、（ａ）は正面図、（ｂ）は平面図、（ｃ）はＡ−Ａ断面図、（ｄ）は左側面図、（ｅ）は右側面図である。
【図２】この発明の実施例１の連結構造の斜視図である。
【図３】同じく実施例２の連結構造の斜視図である。
【図４】（ａ）〜（ｃ）は、従来例の斜視図である。
【符号の説明】
【００６１】
１  基板
１ａ  基板の表面
２ｂ  基板の裏面
２  基板の一側（上側）
３  基板の他側（下側）
４  基板の中央部
５  補強リブ
６  補強リブ
８  透孔
１０  第一連結部
１０ａ  第一連結部の基端
１０ｂ  第一連結部の先端
１１  第一挿通孔
１１ａ  第一挿通孔の上端（係止縁）
１３  第二連結部
１３ａ  第二連結部の基端
１３ｂ  第二連結部の先端
１４  第二連結孔
１４ａ  第二挿通孔の上端（係止縁）
１７、１７Ａ、１７Ｂ  連結金物
２０  基礎
２１  基礎の上面
２２  土台
２３  土台の上面
２５Ａ、２５Ｂ  アンカーボルト
２６Ａ、２６Ｂ  アンカーボルトの上端部
３４、３５  ナット
３４ａ、３５ａ  ワッシャー
３６  柱
３７  柱の側面
４０  連結構造
４２  引き寄せ金物（従来例）
【図１】
2008150878.tif 000003
【図２】
2008150878.tif 000004
【図３】
2008150878.tif 000005
【図４】
2008150878.tif 000006